(57)【要約】【課題】リクライニングソファとスツールとを分離することにより、リクライニングソファのみで、来客時にソファとして対応でき、また、リクライニングソファとスツールとを連結することにより、リクライニング効果を高めることができるようにする。【解決手段】シート部６が前進により上昇し、後退により下降するリクライニングソファ１と、該リクライニングソファ１とは別体のスツール２とからなり、前記シート部６とスツール２とに、これを分離可能に連結する連結手段２５を設ける。【選択図】図３
2008119240.tif 000002
【特許請求の範囲】
【請求項１】
シート部が前進により上昇し、後退により下降するリクライニングソファと、該リクライニングソファとは別体のスツールとからなり、前記シート部とスツールとに、これらを分離可能に連結する連結手段を設けたことを特徴とするリクライニングソファとスツールとの連結装置。
【請求項２】
前記連結手段を、前記シート部の上動により前記スツールが連動して上動するように構成したことを特徴とする請求項１記載のリクライニングソファとスツールとの連結装置。
【請求項３】
前記連結手段を、前記シート部の前側部に受金具を設け、前記スツールの後側部に前記受金具に載置して係止させる掛け金具を設けて構成したことを特徴とする請求項１又は２記載のリクライニングソファとスツールとの連結装置。
【請求項４】
前記掛け金具を、スツールに対して進退可能に設けたことを特徴とする請求項１又は２又は３記載のリクライニングソファとスツールとの連結装置。
【発明の詳細な説明】
【技術分野】
【０００１】
本発明はリクライニングソファとスツールとの連結装置に関するもので、より詳しくは、背もたれ部とシート部とがリクライニング状態に変化するリクライニングソファとスツールとの連結装置に関する。
【背景技術】
【０００２】
従来、リクライニングソファとして、背もたれ部が後方に傾斜するとともに、シート部がソファの前方へ移動しつつ上昇するものが一般的である。また、このようなリクライニングソファには、主にスツールが組み合わされ、このスツールをリクライニングソファの前方に配置し、足を伸ばしてスツールに載置するようにして、リクライニングの効果を高めるようにしたものも知られている。
【０００３】
しかしながら、このようなソファにおいては、リクライニング形態時と通常のソファ形態時とで、座面の位置（高さ）が変化することから、高さが一定で変化しないスツールを使用すると、一方の形態時には、ソファの座面の前端部とスツールの上面との間に段差が生じる問題がある。
【０００４】
そこで、リクライニングソファに、足載せ台専用のフット・スツールをシート部の前端に固定状態で連続して設け、シート部のスライド進退動作に応じて、フット・スツールをスライドするようにしたものが開示されている（特許文献１参照）。
【特許文献１】実登第３１２５３０８号公報
【発明の開示】
【発明が解決しようとする課題】
【０００５】
ところで、昨今の住宅事情においては、リビングを来客用の応接室に利用することが多い。そのため、前記のようなフット・スツールを一体的に構成したリクライニングソファにおいては、応接用のソファとしての使用に適さない上に、足元の設置スペースを広く必要とし、テーブルを配置することが困難である。
【０００６】
そこで本発明は、前記の課題を解決するリクライニングソファとスツールとの連結装置を提供することを目的とするものである。
【課題を解決するための手段】
【０００７】
前記の課題を解決するために、請求項１記載の発明は、シート部が前進により上昇し、後退により下降するリクライニングソファと、該リクライニングソファとは別体のスツールとからなり、前記シート部とスツールとに、これらを分離可能に連結する連結手段を設けたことを特徴とするものである。
【０００８】
請求項２記載の発明は、請求項１記載の発明において、前記連結手段を、前記シート部の上動により前記スツールが連動して上動するように構成したことを特徴とするものである。    
【０００９】
請求項３記載の発明は、請求項１又は２記載の発明において、前記連結手段を、前記シート部の前側部に受金具を設け、前記スツールの後側部に前記受金具に載置して係止させる掛け金具を設けて構成したことを特徴するものである。
【００１０】
請求項４記載の発明は、請求項１又は２又は３記載の発明において、前記掛け金具を、スツールに対して進退可能に設けたことを特徴とするものである。
【発明の効果】
【００１１】
本発明によれば、リクライニングソファとスツールとを分離することにより、リクライニングソファのみで来客時にソファとして対応でき、また、リクライニングソファとスツールとを連結することにより、リクライニング効果を高めることができる。
【００１２】
更に、リクライニングソファとスツールとを連結することにより、リクライニングソファのシート部の前後方向の移動に追従してスツールも移動し、スツールをリクライニングソファの形態の変化に対して手で移動する手間を要しない。
【００１３】
更に、リクライニングソファのシート部の昇降に追従してスツールも昇降するため、これらの間に段差を少なくして、リクライニング効果を高めることができる。    
【発明を実施するための最良の形態】
【００１４】
本発明を実施するための最良の形態を図に示す実施例に基づいて説明する。
図１は本発明の実施例のリクライニングソファ１とスツール２を示す。
【００１５】
なお、以下、リクライニングソファを単にソファと言い、前後方向を図１に示すＡ−Ｂ方向とし、左右方向を図１に示すＣ−Ｄ方向とする。
【００１６】
ソファ１は、基台部４と背もたれ部５とシート部６と肘掛部７とからなる。
前記基台部４は、前後枠４ａ，４ｂと、左右側枠４ｃ、４ｄを連結して構成されており、その左右側枠４ｃ，４ｄの上面８は、後部から前部に向って上方に傾斜する直線状の傾斜面に形成され、後枠４ｂの前面は、下部から上方に向って後方へ傾斜する直線の傾斜面に形成されている。
【００１７】
前記左右側枠４ｃ，４ｄの前方における内側端面間には、図６に示すように左右方向に保持材１０が架設されて、その両端が左右側枠４ｃ，４ｄに固着されている。該保持材１０の左右端部には、樹脂からなる支持具１１が保持材１０に対して回動自在に設けられている。該両支持具１１の上部には案内孔１１ａが前後方向に貫通して形成されている。そして、該案内孔１１ａに、後述するシート枠１５に固設したスライド金具１２の案内片１２ａが所定の摩擦抵抗を有して前後方向に摺動可能に挿通されている。
【００１８】
該スライド金具１２は金属板をＬ字型に折曲して形成されており、図６に示すように、その角部１２ｂをシート部６の後方側で、かつ、下方へ突出する状態で配置し、そのＬ字の長手方向の案内片１２ａが、水平方向に対して所定の傾斜角θで、前側が上方へ傾斜するように前後方向に設けられ、この案内片１２ａを前記案内孔１１ａに挿通している。このスライド金具１２は、その上部両端１２ｃ，１２ｄを、前記シート部６を構成する左右のシート枠１５の下面に固着してシート部６に固設されている。このような構成により、シート部６は前記傾斜角θにほぼ沿って前後にスライドするようになっている。なお、このスライド時には、支持具１１が若干回動し、前記角度θは若干変化する。
【００１９】
前記左右のシート枠１５の上部と前側のシート枠１５ａの前部１５ｂはクッション材６ａで被覆されてシート部６が形成されている。
【００２０】
また、図５に示すように、前記後枠４ｂの上部における左右両端には、回転支持具２０が、後枠４ｂの前方に突出するようにして設置されている。そして、該回転支持具２０に背もたれ部５の背もたれ枠１６がピン２０ａにより回転可能に連結され、背もたれ枠１６が所定の摩擦抵抗を有しながらピン２０ａを中心として揺動可能に支持されている。この背もたれ枠１６の上部には、ヘッドレスト部５ａが形成されている。このヘッドレスト部５ａの内部には屈曲可能な支持材１７が立設しており、該支持材１７を、その下端を支点として、図２の破線で示すようにソファの前方向に屈曲できるようになっている。これにより、ヘッドレスト部５ａを背もたれのクッション材として利用できるようになっている。
【００２１】
前記背もたれ枠１６の下端と前記シート枠１５の後端は、シート枠１５に設けたリンク２１と、背もたれ枠１６に設けた図示しない金具とをピン２１ａによって回動自在に連結し、背もたれ部５とシート部６がピン２１ａを中心として相対的に回動可能に連結されている。
【００２２】
以上の構成により、通常の形態時には図５に示すように、背もたれ部５とシート部６は基台部４の上部において、スライド金具１２と回転支持具２０によって基台部４に支承されており、リクライニング時に着席者が背もたれ部５の上部を後方に傾斜させると、背もたれ部５の下端がピン２１ａを介してシート部６の後端を前方に押し、シート部６がスライド金具１２の傾斜した案内片１２ａの傾斜角度θに沿って前方、かつ、上方へ移動し、図４に示すようにリクライニング形態になるとともに、シート部６の前端面が基台部４の前端面より突出する。
【００２３】
次にスツールについて説明する。
スツール２は、図７に示すように、前後壁３１ａ，３１ｂと左右壁３１ｃ，３１ｄを有する無底の箱状体に、クッション材３２を載置して構成され、底部の四隅にキャスター３３ａ，３３ｂ，３３ｃ，３３ｄが設けられ、床面上を移動可能になっている。前記スツール２における前記ソファ１と対向する側の後壁３１ｂは床面付近まで延設され、左右壁３１ｃ，３１ｄの下面は前壁３１ａから後壁３１ｂに向って曲面で下方へ屈曲する面で成形されている。これにより、後壁３１ｂ側に設置された前記キャスター３３ａ，３３ｂが左右壁３１ｃ，３１ｄによって外視されないように覆われている。
【００２４】
次に、前記ソファ１とスツール２とを連結する連結手段２５について説明する。
前記シート部６における前側のシート枠１５ａ部すなわち、シート部６の前側部の中央部下面には、図１に示すように、受金具２６が下方に向けて突設されている。該受金具２６は図９に示すように、前側から見て、両側に取付部２６ａ，２６ａを立設し、その両取付部２６ａ，２６ａの下部間に水平方向の受部２６ｂを一体に形成した凹状の支承部２６ｃと、前記支承部２６ｃの中間部を上方へ隆起させた係止部２６ｄとからなり、これらが金属丸棒で一体に屈曲形成されている。
【００２５】
前記受金具２６における両端の取付部２６ａ，２６ａの上端は、前記前側のシート枠１５ａに適宜固定手段、例えばねじ等により固定されている。
【００２６】
前記スツール２の後壁３１ｂには、図７に示すように、２個の挿通孔３４、３４が相互に所定の間隔を有して内外方向に貫通して形成されている。更に、スツール２の内部には、支板３５，３５が左右方向に配置して固設されており、該支板３５，３５には挿通孔３６，３６が空けられている。
【００２７】
該挿通孔３６，３６の相互の間隔は、前記の挿通孔３４，３４の相互の間隔と同寸法に設定されている。
【００２８】
前記スツール２の後側部には、図８に示すように、掛け部２７ａと、該掛け部２７ａの両端に一体に形成した挿通部２７ｂ，２７ｂにより上方から見てコ字状に形成した金属棒からなる掛け金具２７が設けられている。すなわち、前記掛け部２７ａをスツール２の後面側より突出させ、両挿通部２７ｂ，２７ｂを前記両挿通孔３４，３６に摺動可能に挿通して備え、掛け金具２７を、図７に示すように、その掛け部２７ａがスツール２の後壁３１ｂの外面近傍に位置するように収納したり、図８に示すように、掛け部２７ａがスツール２の後壁３１ｂの外面より後方へ大きく離間するように引き出したりできるように備えられている。
【００２９】
図９に示すように、前記掛け金具２７における両挿通部２７ｂ，２７ｂの相互の間隔Ｌ１（詳しくは外面間間隔）は、前記受金具２６における両取付部２６ａ，２６ａの相互の内のり寸法（間隔）Ｌ２よりも短く、かつ、間隔Ｌ１（詳しくは内のり寸法）は、前記掛け金具２７における係止部２６ｄの左右方向の長さ（間隔）Ｌ３よりも長く設定されている。
【００３０】
なお、前記受金具２６における係止部２６ｄの隆起高さは、前記掛け金具２７における掛け部２７ａの直径より長く設定され、掛け部２７ａが図９の実線で示すように受部２６ｂ上に当接して載置された状態において係止部２６ｄに係止するようになっている。
【００３１】
更に、掛け金具２７の付設位置（高さ）は、図３に示すように、スツール２の後側のキャスター３３ａ，３３ｂを床面に接触させた状態において、その掛け金具２７が前記通常形態で下降しているシート部６の受金具２６の係止部２６ｄに係止する位置（高さ）に設定されている。
【００３２】
また、前記掛け金具２７における挿通部２７ｂ，２７ｂの後端部間には磁性材料の金属からなるストッパー２７ｅが架設固定されており、掛け金具２７を所定量引き出した場合に、このストッパー２７ｅが前記支板３５に当接して、掛け金具２７が所定の引き出し量以上に引き出され（抜け外れ）ないようになっている。
【００３３】
更に、前記支板３５が位置する部分、すなわち、両支板３５，３５の中間部には、磁石（永久磁石）３７が、固定板３８に固着して備えられており、掛け金具２７を前記のように引き出した際に、掛け金具２７のストッパー２７ｅが磁石３７に当り、その磁力によってストッパー２７ｅが固着され、掛け金具２７の引き出し位置が保持されるようになっている。
【００３４】
次に、ソファ１とスツール２との分離及び連結操作について説明する。
先ず、ソファ１の通常の使用形態時には、図１に示すように、スツール２の掛け金具２７をソファ１側の受金具２６より外して、スツール２をソファ１より分離する。この分離時には、掛け金具２７を図２及び図７に示すように収納する。
【００３５】
これにより、ソファ１はスツール２と分離した単独の状態で使用でき、来客等が使用する通常のソファとして使用できる。
【００３６】
次に、ソファ１の通常の形態で、そのソファ１の前部にスツール２を連結する場合には、スツール２の掛け金具２７をスツール２から図３及び図８に示すように引き出し、その掛け金具２７のストッパー２７ｅを磁石３７に吸着させてその引き出し位置を保持する。そして、その掛け部２７ａを前記受金具２６の係止部２６ｄの内側へ、上部から入れて係止部２６ｄに図３及び図４に示すように係止して受金具２６と掛け金具２７とを連結させる。この連結により、シート部６の前端面（クッション材６ａの前端面）とスツール２の後端面（クッション材３２の後端面）が相互に弾力的に接触し、掛け金具２７の掛け部２７ａが受金具２６の係止部２６ｄの内側端に係止する。
【００３７】
次に、前記形態から、ソファ１をリクライニング形態で使用する場合には、着席者が、その背部によって背もたれ部５に後方への荷重を加えると、背もたれ部５が図４に示すようにピン２０ａを中心として回動して後方へ倒れ、また、背もたれ部５の下端部のピン２１ａによってシート部６が前方へ押され、シート部６が前進する。
【００３８】
このシート部６の前方への移動により、シート部６は、スライド金具１２の案内片１２ａに案内されて図４に示すように、通常形態時の高さよりも上昇する。これにより、背もたれ部５が後傾姿勢となり、座面が上昇したリクライニング形態になる。
【００３９】
また、前記のように、シート部６が前進すると、シート部６の前端面によりスツール２が前方へ押されて床面上を前方へ移動するとともに、シート部６の前側部が上昇することにより、受金具２６が上動し、この受金具２６の受部２６ｂの上昇によってスツール２の掛け金具２７が支承されて上方へ持ち上げられる。このように掛け金具２７が持ち上げられると、スツール２の後側が上昇し、そのキャスター３３ａ，３３ｂが床面より上方へ離間する。
【００４０】
これにより、図４に示すように、スツール２の座面は前下りの傾斜面となり、シート部６の座面とスツール２の座面は、穏やかなへの字状の連続する座面となる。そのため、着席者は、その脚部を若干屈曲させた状態のリクライニング姿勢をとることができ、リラックス効果を高めることが出来る。
【００４１】
また、前記のように、掛け金具２７が受金具２６の係止部２６ｄに係止した状態では、掛け金具２７が係止部２６ｄに図９の実線で示すように係止するため、スツール２がソファ１より分離することが阻止され、スツール２とソファ１との連結状態が維持される。
【００４２】
また、前記の連結状態においては、掛け金具２７の挿通部２７ｂ，２７ｂが受金具２６の両取付部２６ａ，２６ａ間に介在されるため、スツール２が左右方向に移動した場合には、両挿通部２７ｂ，２７ｂが両取付部２６ａ，２６ａに当接して、その移動量が規制され、ソファ１とスツール２との左右方向の相対的な大きなズレが防止される。
【００４３】
また、ソファ１を前記のリクライニング形態から通常状態にしてシート部６を後退させると、受金具２６の係止部２６ｄによって掛け金具２７がソファ１の後方側に引かれ、スツール２もシート部６に追従して移動する。
【００４４】
以上のことから、本発明は、ソファ１をリクライニング形態にする際には、ソファ１と別体に設けたスツール２を、ソファ１に連接して一連の座面を構成する足載せ台として活用でき、来客時にはソファ１とスツール２を切り離してソファ１を応接用ソファとして使用できる。また、スツール２の高さや位置は、シート部の動きに連動して自然に変化するため、スツール２の位置や高さを手操作で調節する必要がない。
【００４５】
なお、連結手段２５を構成する受金具２６と掛け金具２７は相互に連結できればよく、前記実施例とは逆に、受金具２６を、前記とは逆の向き（係止部２６ｄが下向き）にしてスツール２側に設けて掛け金具とし、掛け金具２７をソファ１側に設けて受金具としてもよい。
【図面の簡単な説明】
【００４６】
【図１】本発明の実施例を示すものでソファとスツールを離間させた斜視図。
【図２】図１の側面図。
【図３】図１におけるスツールをソファに連結した斜視図。
【図４】図３の状態からソファをリクライニングの形態にした側面図。
【図５】本発明の実施例におけるソファの支持部を示す断面図。
【図６】本発明の実施例におけるソファのスライド金具を示す斜視図。
【図７】本発明の実施例におけるスツールの掛け金具を収納した底面図。
【図８】図７の状態から掛け金具を引き出した底面図。
【図９】本実施例の連結手段を示す正面図。
【符号の説明】
【００４７】
１    リクライニングソファ
２    スツール
６    シート部
２５  連結手段
２６  受金具
２７  掛け金具
【図１】
2008119240.tif 000003
【図２】
2008119240.tif 000004
【図３】
2008119240.tif 000005
【図４】
2008119240.tif 000006
【図５】
2008119240.tif 000007
【図６】
2008119240.tif 000008
【図７】
2008119240.tif 000009
【図８】
2008119240.tif 000010
【図９】
2008119240.tif 000011